(57)【特許請求の範囲】
【請求項１】
光を電荷に変換する複数の光電変換部と、
前記複数の光電変換部で共有され、前記電荷を一時的に蓄積するフローティングディフュージョン部と、
前記複数の光電変換部の各々で変換された電荷を前記フローティングディフュージョン部に転送するために前記複数の光電変換部の各々に対応して設けられた複数の転送トランジスタと、
前記フローティングディフュージョン部の電荷量に応じた電圧信号を出力するためのソースフォロワアンプと、
前記フローティングディフュージョン部に前記複数の転送トランジスタを介して接続された前記複数の光電変換部および前記フローティングディフュージョン部をリセットするためのリセットトランジスタとをひとつの単位構造とし、
複数の前記単位構造が行方向と列方向の２次元状に配置された撮像素子であって、
前記複数の単位構造を複数の組に分け、分けられた組ごとに前記転送トランジスタをオンする時間を制御する制御手段を備えることを特徴とする撮像素子。
【請求項２】
前記制御手段は、前記転送トランジスタをオンする時間の制御を行ごとに行うことを特徴とする請求項１に記載の撮像素子。
【請求項３】
前記制御手段は、前記フローティングディフュージョン部に接続された前記光電変換部の数を１周期として、前記転送トランジスタをオンする時間の制御を繰り返すことを特徴とする請求項１または２に記載の撮像素子。
【請求項４】
前記制御手段は、前記転送トランジスタをオンする時間の制御を、各転送トランジスタの転送効率を補うように行うことを特徴とする請求項１乃至３のいずれか１項に記載の撮像素子。
【請求項５】
前記制御手段は、前記光電変換部と前記フローティングディフュージョン部の間の距離、配線抵抗、容量成分、インダクタ成分、暗電流によるオフセット成分、転送トランジスタの特性、画素部のポテンシャルのうち少なくとも一つに基づいて、前記転送トランジスタをオンする時間の制御を行うことを特徴とする請求項１乃至４のいずれか１項に記載の撮像素子。
【請求項６】
前記制御手段は、画像を撮影する際の撮影条件に応じて、前記転送トランジスタをオンする時間の制御を行うことを特徴とする請求項１乃至４のいずれか１項に記載の撮像素子。
【請求項７】
前記撮影条件には、シャッタースピード、ゲイン量、絞り量、被写体輝度のうち少なくとも一つが含まれることを特徴とする請求項６に記載の撮像素子。
【請求項８】
光を電荷に変換する複数の光電変換部と、前記複数の光電変換部で共有され、前記電荷を一時的に蓄積するフローティングディフュージョン部と、前記複数の光電変換部の各々で変換された電荷を前記フローティングディフュージョン部に転送するために前記複数の光電変換部の各々に対応して設けられた複数の転送トランジスタと、前記フローティングディフュージョン部の電荷量に応じた電圧信号を出力するためのソースフォロワアンプと、前記フローティングディフュージョン部に前記複数の転送トランジスタを介して接続された前記複数の光電変換部および前記フローティングディフュージョン部をリセットするためのリセットトランジスタとをひとつの単位構造とし、複数の前記単位構造が行方向と列方向の２次元状に配置され、前記複数の単位構造を複数の組に分け、分けられた組ごとに前記転送トランジスタをオンする時間を制御する制御手段とを備える撮像素子と、
前記撮像素子から出力された信号をデジタル信号に変換するＡ／Ｄ変換部と、
前記Ａ／Ｄ変換部から入力されるデジタル信号に所定の画像信号処理を施す信号処理部と、
タイミング信号を生成して前記撮像素子、前記Ａ／Ｄ変換部、前記信号処理部に出力するタイミング生成部と、
装置全体を制御する制御部と、
を備えることを特徴とする撮像装置。
【発明の詳細な説明】
【技術分野】
【０００１】
本発明は、撮像素子に関するものである。
【背景技術】
【０００２】
静止画や動画を撮影することを目的としたデジタルカメラにおいて、これまでは撮像素子としてＣＣＤセンサが多く用いられてきた。しかし、近年においては、ＣＭＯＳセンサの性能向上がめざましく、一部でＣＣＤセンサからの置き換えが進んできている。ＣＭＯＳセンサの特徴のひとつとして、画素ごとにアクティブ素子を持っていることが挙げられる。この効果として、画素ごとに電荷を電圧信号に変換することができ、ＣＣＤセンサで問題となる高輝度被写体撮影時に発生する、スミアを大幅に低減できることが知られている。しかし一方で、弊害として受光面積を広げることができず、開口率が低下するという問題も存在する。この問題を解決するために、画素ごとに配置されていた、アクティブ素子を複数の画素で共有し、受光面積を広げる方法（特許文献１）が提案されている。
【先行技術文献】
【特許文献】
【０００３】
【特許文献１】特開平９-４６５９６号公報
【発明の概要】
【発明が解決しようとする課題】
【０００４】
しかし、受光面積を広げるため、アクティブ素子を共有する画素数を増やすことによって、画素ごとの対称性が崩れてしまうこという問題がある。この問題に起因して、シェーディング特性や分光特性等の光学的な特性が低下することが知られている。さらに、共有画素間の配線の長さ等のレイアウト差が生じることで、電荷転送特性が低下する懸念があった。
【０００５】
これまでは、電荷転送特性の低下による画質への影響は非常に軽微であることから、あまり問題視されていなかった。しかし、近年のデジタルカメラに用いられる撮像素子の低ノイズ化・高感度化が進むに連れ、対称性の低下による画質への影響が無視できなくなってきている。
【０００６】
本発明は上述した課題に鑑みてなされたものであり、その目的は、ＣＭＯＳ型の撮像素子において、画素の受光面積を確保しつつ、画質の低下を抑制することである。
【課題を解決するための手段】
【０００７】
上述した課題を解決し、目的を達成するために、本発明に係わる撮像素子は、光を電荷に変換する複数の光電変換部と、前記複数の光電変換部で共有され、前記電荷を一時的に蓄積するフローティングディフュージョン部と、前記複数の光電変換部の各々で変換された電荷を前記フローティングディフュージョン部に転送するために前記複数の光電変換部の各々に対応して設けられた複数の転送トランジスタと、前記フローティングディフュージョン部の電荷量に応じた電圧信号を出力するためのソースフォロワアンプと、前記フローティングディフュージョン部に前記複数の転送トランジスタを介して接続された前記複数の光電変換部および前記フローティングディフュージョン部をリセットするためのリセットトランジスタとをひとつの単位構造とし、複数の前記単位構造が行方向と列方向の２次元状に配置された撮像素子であって、前記複数の単位構造を複数の組に分け、分けられた組ごとに前記転送トランジスタをオンする時間を制御する制御手段を備えることを特徴とする。
【発明の効果】
【０００８】
本発明によれば、ＣＭＯＳ型の撮像素子において、画素の受光面積を確保しつつ、画質の低下を抑制することが可能となる。
【図面の簡単な説明】
【０００９】
【図１】本発明の実施形態に係わる撮像装置の構成を示す機能ブロック図。
【図２】本発明の実施形態に係わる撮像素子の構成を示す模式図。
【図３】本発明の実施形態に係わる撮像素子の画素部の構成を示す模式図。
【図４】本発明の実施形態に係わる画素部の回路の構成を示す図。
【図５】第１の実施形態に係わる撮像素子の駆動方法を示すタイミングチャート。
【図６】第１の実施形態の効果を表す模式図。
【図７】第２の実施形態に係わる撮像素子の動作を示すタイミングチャート。
【図８】第２の実施形態に係わる撮像素子の駆動方法を示すタイミングチャート。
【図９】第２の実施形態の効果を表す模式図。
【発明を実施するための形態】
【００１０】
以下、本発明の実施形態について、添付図面を参照して詳細に説明する。
【００１１】
（第１の実施形態）
図１は、本発明の第１の実施形態に係わる撮像装置の構成を示すブロック図である。
【００１２】
図１において、撮像装置１００は、本実施形態ではデジタルカメラである。レンズ１０１は被写体からの光を撮像素子１０２へ集光する。レンズ１０１には、焦点距離を変更するズームレンズや、入射する光に対して開口径を変更する絞りや、入射光を遮るシャッタ等が含まれる。
【００１３】
ＣＭＯＳ型の撮像素子１０２は、レンズ１０１を通して入射した光を光電変換してアナログの電気信号を生成する。Ａ／Ｄ変換部１０３は、撮像素子１０２から入力されたアナログ信号をデジタル信号へ変換する。ここで、Ａ／Ｄ変換部１０３には、Ａ／Ｄ変換処理を行う際に、アナログ信号を予め決めておいた値を基準としたデジタル値に変換するＯＢクランプ回路も含まれている。
【００１４】
信号処理部１０４は、Ａ／Ｄ変換部１０３から入力される画素信号に対して所定の画像信号補正処理を行う。タイミング生成部（以下、ＴＧ）１０５は、全体制御・演算部１０６からの入力信号を元に、撮像素子１０２、Ａ／Ｄ変換部１０３、信号処理部１０４に必要なタイミング信号を生成する。
【００１５】
全体制御・演算部１０６は、撮像装置１００の動作に必要な処理および演算を行う。記憶部１０７は、撮影データ、調整データ、画像データ、信号処理用データ等を記憶する。記録部１０８は、信号処理部１０４からの信号をもとにして全体制御・演算部１０６にて生成される画像データを記録する。
【００１６】
操作部１０９は、ボタンやダイヤル等のヒューマンＩＦで構成されていて、撮像装置１００の動作命令を指示する。表示部１１０は、信号処理部１０４からの信号をもとにして全体制御・演算部１０６にて生成される画像データを表示したり、操作部１０９から入力された操作に対応したアイコン等を表示したりする。
【００１７】
図２は、図１に示した撮像素子１０２の構成を示す図である。画素部２０１は、レンズ１０１からの光を受光する部分（光電変換部）であり、表面に入射した光を光電変換して電気信号として出力する受光画素と、画像の黒基準を決める際に使用される遮光画素を含む。垂直走査回路２０２は、回路内にシフトレジスタを含み、行ごとの信号線の電圧を切り替えることにより、撮像素子からの読み出し行を選択する。垂直出力線２０３は、同一列に配置されている画素部２０１に共通に接続され、出力される信号を後段へ送信するために設けられている。
【００１８】
列アンプ２０４は、垂直走査回路で選択された画素の信号を入力して増幅する。水平走査回路２０５は、回路内にシフトレジスタや電圧信号を一時的に保存する回路を含む。列アンプからの出力を一時的に保存し、決められた順序で選択し、外部へ出力する。
【００１９】
ここでは、Ａ／Ｄ変換部１０３は水平走査回路の後段に配置されている例を示したが、水平走査回路２０５の前段にＡ／Ｄ変換部１０３を配置する構造においても、本実施形態の動作を行うことで、同様の効果を得ることができる。
【００２０】
図３は、図２に示した画素部２０１における所定の４画素の模式図である。フォトダイオード（以下、ＰＤ）３０１ａ〜３０１ｄは、レンズ１０１からの光を受け、光電効果によって電荷が発生する。転送トランジスタ（以下、転送Ｔｒ）３０２ａ〜３０２ｄは、垂直走査回路２０２からの転送信号線ＴＸ１〜ＴＸ４によって制御され、ＰＤ３０１ａ〜３０１ｄで発生した電荷の転送を行う。
【００２１】
フローティングディフュージョン部（以下、ＦＤ）３０３は、ＰＤ３０１ａ〜３０１ｄの各々から転送された電荷を一時的に蓄積する。ソースフォロワアンプ（以下、ＳＦ）３０４は、ＦＤ３０３に蓄積された電荷量に応じて、その電荷を電圧信号へ変換して垂直出力線２０３に出力する。リセットトランジスタ（リセットＴｒ）３０５は、垂直走査回路２０２からのリセット信号線ＲＳによって制御され、ＰＤ３０１ａ〜３０１ｄおよびＦＤ３０３の電荷を強制的に排出する。
【００２２】
ここでは、撮像素子１０２内の所定の４画素に注目して記述した。本実施形態における撮像素子１０２においては、図３に示した４画素を１周期（単位構造）として、縦横（行方向および列方向）に２次元状に配置された構成をとっている。つまり、垂直走査回路２０２から供給される、転送信号ＴＸ１〜ＴＸ４およびリセット信号ＲＳは、同一行に配置している画素に、共通に供給される構造となっている。
【００２３】
図４は、撮像素子１０２における画素部周辺の回路図である。図４に示すように、ＰＤ３０１ａ〜３０１ｄ、転送Ｔｒ３０２ａ〜３０２ｄ、ＦＤ３０３、ＳＦ３０４、リセットＴｒ３０５から構成される。抵抗成分４０６ａ〜４０６ｄは、各ＰＤ３０１ａ〜３０１ｄとＳＦ３０４の間に存在する配線の抵抗成分であり、それぞれの値をＲａ〜Ｒｄで表す。
【００２４】
ここで、本実施形態における画素部は、図３で示したように、ＰＤ３０１ｂ及びＰＤ３０１ｃが、ＰＤ３０１ａ及びＰＤ３０１ｄに比べてＳＦ３０４の近くに配置される構造になっている。また、ＰＤ３０１ａ〜３０１ｄからＳＦ３０４へ電荷を転送する転送線の線抵抗は距離に比例することから、各配線抵抗成分４０６ａ〜４０６ｄには以下の式（１）のような関係がある。
【００２５】
Ｒａ≒Ｒｄ  ≧  Ｒｂ≒Ｒｃ      …（１）
このことから、ＰＤ３０１ａ及びＰＤ３０１ｄのように配線抵抗が大きい画素と、ＰＤ３０１ｂ及びＰＤ３０１ｃのように配線抵抗が小さい画素との間で電荷転送特性に差が生じることになる。
【００２６】
図５は、本実施形態における撮像素子１０２を駆動させるタイミングチャートである。図５（ａ）はＰＤ３０１ａ〜３０１ｄに発生した電荷を排出する際のリセット動作を示している。具体的には、操作部１０９等からの信号に応じて、撮影が開始された後、時間Ｔｒｅ１で全てのリセット信号線ＲＳがＨ状態になり、全てのリセットＴｒ３０５がＯＮする。
【００２７】
次に、時間Ｔｒｅ２で転送信号線ＴＸ１、ＴＸ４がＨ状態になり、転送Ｔｒ３０２ａ、３０２ｄがＯＮし、ＰＤ３０１ａ、３０１ｄからの電荷転送が始まる。次に、時間Ｔｒｅ３で転送信号線ＴＸ２、ＴＸ３がＨ状態になり、転送Ｔｒ３０２ｂ、３０２ｃがＯＮし、ＰＤ３０１ｂ、３０１ｃからの電荷転送が始まる。
【００２８】
次に、時間Ｔｒｅ４で全行の転送信号線ＴＸ１〜ＴＸ４がＬ状態になり、全行の転送Ｔｒ３０２ａ〜３０２ｄがＯＦＦする。そして、全行のＰＤ３０１ａ〜３０１ｄに発生していた電荷の転送が終了し、すべてのＰＤ３０１ａ〜３０１ｄのリセットが完了する。この時間より、露光動作が開始することとなる。
【００２９】
図５（ａ）では、すべてのＰＤを同時にリセットする、グローバルリセット動作に関して例示したが、１行ずつ順次リセット動作を行う、ローリングリセット動作においても、本実施形態の動作を行うことで、同様の効果を得ることができる。
【００３０】
図５（ｂ）は、ＰＤ３０１に所定の時間内に発生した電荷を映像信号として読み出す際の読み出し動作を示している。具体的には、図５（ａ）で示したリセット動作後に所定の時間の露光動作を行った後に、レンズ１０１に搭載されているシャッタを用いて、撮像素子１０２に集光されている光の遮光を行った後に、１行ずつ順次読み出し動作を行う。
【００３１】
まず、時間Ｔａ１でリセット信号線ＲＳがＨ状態となり、ＦＤ３０３にたまった不要な電荷の排出を開始する。次に、時間Ｔａ２でリセット信号線ＲＳがＬ状態となり、ＦＤ３０３の電位が所定のレベルにリセットされる。次に、時間Ｔａ３で転送信号線ＴＸ１がＨ状態となり、ＰＤ３０１ａから電荷の転送を開始する。次に、時間Ｔａ４で転送信号線ＴＸ１がＬ状態となり、ＦＤ３０３の電位が一定値となる。
【００３２】
このＦＤ３０３の電位レベルをＳＦ３０４にて電圧信号に変換し、垂直出力線２０３に読み出すことで、所定の時間でＰＤ３０１ａに発生した電荷量を映像信号として取り出すことができる。そして、以上の動作を、ＰＤ３０１ｂ〜３０１ｄでも同様に行うことで、１画面の画像を得ることができる。
【００３３】
本実施形態における撮像素子１０２の駆動方法の特徴として、リセット動作時・読み出し動作時共に、転送Ｔｒ３０２ａ及び転送Ｔｒ３０２ｄのＯＮ時間を、転送Ｔｒ３０２ｂ及び転送Ｔｒ３０２ｃのＯＮ時間と比較して長く取っている。この理由を図６を用いて説明する。
【００３４】
図６は、ＰＤから電荷を転送した際のＦＤ電位の時間変化を示した図である。時間ＴｓｔａｒｔにＰＤから電荷の転送を開始してから、ＦＤの電位は過渡的に変化し、正常なリセットレベルＥｒｅｓｅｔまで変化する。しかし、式（１）で示すように、ＰＤ３０１ａ，３０１ｄからＦＤまでの配線抵抗はＰＤ３０１ｂ，３０１ｃに比べて大きくなっている。そのため、ＰＤ３０１ｂ，３０１ｃからの電荷を転送するために必要な時間をＴｅｎｄ１とすると、ＰＤ３０１ａ，３０１ｄからの電荷を転送するために必要な時間はＴｅｎｄ１よりも長く、Ｔｅｎｄ２となる。つまり、ＰＤ３０１ａ，３０１ｄから電荷を正確に転送するためには、ＰＤ３０１ｂ，３０１ｃよりも長い期間の間転送Ｔｒ３０２をＯＮしている必要がある。
【００３５】
このように、式（１）で示したような各配線の抵抗成分４０７ａ〜４０７ｄの差に起因して発生する過渡応答（転送効率）に速度差があっても、転送ＴｒのＯＮ期間を変化させることによって、電荷を正確に転送することができる。
【００３６】
また、本実施形態においては、必要に応じて転送ＴｒのＯＮ期間を延長させるため、転送ＴｒのＯＮ期間を不要に伸ばすことを避けることができる。転送ＴｒのＯＮ期間を延ばしすぎることによる連写速度の低下や、画像信号とは異なる電荷の影響による画質の低下等の弊害を抑えることもできる。
【００３７】
なお、本実施形態においては、ＦＤを４つのＰＤで共有する際に発生する配線抵抗の差に着目して例を示した。しかし、抵抗成分以外の容量成分、インダクタ成分、暗電流等のオフセット成分、転送Ｔｒ３０２の特性バラツキ成分、ＰＤやＦＤのポテンシャルのバラツキ成分等に起因する、転送特性のばらつきに対しても、本実施形態の動作を行うことで、同様の効果を得ることができる。
【００３８】
また、本実施形態においては、ＦＤを４つのＰＤで共有する例を示したが、２つ以上のＰＤで共有する場合において、本実施形態の動作を行うことで、同様の効果を得ることができる。また、本実施形態においては、リセット動作時・読み出し動作時ともに転送ＴｒのＯＮ期間を変更する例を示したが、両方での変更量は異なってもよいし、片側だけ実施してもよい。
【００３９】
（第２の実施形態）
第１の実施形態においては、ＦＤを複数のＰＤで共有化している撮像素子において、転送ＴｒのＯＮ期間をＰＤとＦＤ間の抵抗成分に応じて制御し、レイアウトによる影響を低減する手法に関して説明した。しかし、ＰＤの電荷を正確に転送できる期間は、レイアウトだけではなく、ＰＤに入射する光量等の露出条件に依存する場合がある。
【００４０】
図７は、本実施形態における、画像取得時にローリングシャッター動作からグローバルシャッター動作へ、動作を切り替えるシーケンスを示す図である。
【００４１】
フレームＡおよびフレームＢではローリングシャッター動作を行い、連続的に画像の取り込みを行っている。そして、フレームＣではシャッター動作を切り替えて、グローバルシャッター動作を行っている。グローバルシャッター動作を行うフレームＣでは、全ての行のリセットを同時に行う。そして、所定の露光時間が経過した後に、レンズ１０１に搭載されているシャッタを用いて、撮像素子１０２に集光されている光の遮光を行う。そして、遮光している間に、各行から順次画像信号の読み出しを実施する。
【００４２】
ここで、フレームＢとフレームＣの間では、不要露光期間が存在する。この期間でもレンズ１０１を通してＰＤ３０１は受光しているため、画像信号として読み出しを行わない、不要電荷が発生する。通常は、この期間でＰＤ３０１にて発生した不要電荷は、フレームＣのグローバルシャッター動作時に排出される。しかし、不要露光期間で撮像素子１０２に集光される光量によっては、不要電荷を排出しきれない場合がある。
【００４３】
図８は、本実施形態において、所定の４画素における、通常時のグローバルリセット動作時のタイミングチャートである。画素部周辺の回路図は第１の実施形態と同様である。
【００４４】
具体的には、図７で示した不要露光期間が経過した後、時間Ｔｒｅ１で全行のリセット信号線ＲＳがＨ状態になり、全行のリセットＴｒ３０５がＯＮする。次に、時間Ｔｒｅ２で転送信号線ＴＸ１〜ＴＸ４がＨ状態になり、転送Ｔｒ３０２ａ〜３０２ｄがＯＮする。そして、ＰＤ３０１からの電荷転送が開始する。
【００４５】
次に、時間Ｔｒｅ３で全行の転送信号線ＴＸ１〜ＴＸ４がＬ状態になり、全行の転送Ｔｒ３０２ａ〜３０２ｄがＯＦＦする。次に、時間Ｔｒｅ４でリセット信号線ＲＳがＬ状態となり、全行のＰＤ３０１ａ〜３０１ｄに発生していた電荷の転送が終了し、すべてのＰＤ３０１ａ〜３０１ｄのリセットが完了する。この時間から、所定の露光が開始することとなる。
【００４６】
また、図８（ｂ）は不要露光期間にＰＤ３０１ａ〜３０１ｄに所定以上の電荷が発生した場合を示している。具体的には、図５（ａ）で示したリセット動作後に、時間Ｔｒｅ３’に転送信号線ＴＸ１〜ＴＸ４がＬ状態となる。ここで、Ｔｒｅ３とＴｒｅ３’の間にはＴｒｅ１を基準とした場合、以下の式（２）のような関係がある。
【００４７】
Ｔｒｅ３’  ≧  Ｔｒｅ３            …（２）
つまり、本実施形態における転送Ｔｒ３０２ａ〜３０２ｄの駆動方法として、不要露光期間に発生した電荷量に応じて転送Ｔｒ３０２ａ〜３０２ｄのＯＮ時間を変更している。この理由に関して図９を用いて説明する。
【００４８】
図９は、ＰＤから電荷を転送した際のＦＤ電位の時間変化を示す図である。
【００４９】
時間ＴｓｔａｒｔにＰＤから電荷の転送を開始してから、ＦＤの電位は過渡的に変化する。そのため、正常なリセットレベルＥｒｅｓｅｔまで、変化する時間はＰＤに発生している電荷量に依存する。通常のローリングシャッター動作時において、不要露光期間で発生する電荷は、ＴｓｔａｒｔとＴｒｅ３の間で正常なリセットレベルＥｒｅｓｅｔまで抑えられる。しかし、不要露光期間が長いと、Ｔｒｅ３までの期間では、正常なリセットレベルＥｒｅｓｅｔまで変化できない場合がある。この場合は、リセット時間を延長しＴｒｅ３’まで転送Ｔｒ３０２ａ〜３０２ｄのＯＮ時間を変更する必要がある。ここでは、ＦＤ３０３を共有する各転送Ｔｒ３０２ａ〜３０２ｄのＯＮ時間を共通としたが、各ＰＤ３０１ａ〜３０１ｄからの転送特性に応じて、各行のＯＮ時間を個別に設定してもよい。
【００５０】
以上、図９で示したように、不要露光期間で発生する電荷量に差があっても、転送ＴｒのＯＮ期間を変化させることによって、電荷を正確に転送することができる。また、本実施形態においては、必要に応じて転送ＴｒのＯＮ期間を延長させるため、転送ＴｒのＯＮ期間を不要に伸ばすことを避けることができる。転送ＴｒのＯＮ期間を延ばしすぎることによる連写速度の低下や、画像信号とは異なる電荷の影響による画質の低下等の弊害を抑えることもできる。
【００５１】
本実施形態においては、ローリングリセット動作からグローバルリセット動作に切り替える際の動作に着目して例示した。しかし、リセット動作時に所定以上の電荷が発生する場合や、各ＰＤの転送特性に差が発生する場合には、本実施形態の動作を行うことで、同様の効果を得ることができる。
【００５２】
なお、本実施形態においては、所定期間内で発生する電荷量に応じて、転送ＴｒのＯＮ期間を変化させたが、シャッタースピード、ゲイン量、絞り量、被写体輝度等の撮影条件に応じて変化させても良い。また、本実施形態においては、リセット動作時に着目したが、露光期間内で発生する電荷量に応じて、読み出し動作時の転送ＴｒのＯＮ期間を変更する場合も、本実施形態に含まれる。
【図１】
0005885431.tif 000002
【図２】
0005885431.tif 000003
【図３】
0005885431.tif 000004
【図４】
0005885431.tif 000005
【図５】
0005885431.tif 000006
【図６】
0005885431.tif 000007
【図７】
0005885431.tif 000008
【図８】
0005885431.tif 000009
【図９】
0005885431.tif 000010